(57)【特許請求の範囲】
【請求項１】
少なくとも加熱部及び循環ポンプが配設された暖房回路を有する熱源機と、この熱源機外に設置されて個別の端末開閉弁及び循環配管を介して上記暖房回路と接続された少なくとも２以上の暖房端末とを備え、上記加熱部により昇温された温水が上記循環ポンプの作動により上記各暖房端末に対し上記端末開閉弁及び循環配管を通して循環供給されるように構成された温水暖房システムについて、通常運転を行う前に実行される温水暖房システムにおける試運転制御方法において、
上記熱源機の運転制御を実行する熱源機コントローラと、各暖房端末に設置された各端末コントローラとを互いに通信可能に接続し、上記熱源機コントローラには予め定められた試運転制御を実行させるための試運転制御部を備える一方、上記各端末コントローラには対応する暖房端末に関する端末情報を予め記憶させておき、
上記試運転制御の実行に先立ち、上記熱源機コントローラに対し上記全端末コントローラから各暖房端末についての端末情報を出力させ、
この出力された各端末情報と、上記熱源機コントローラ側の熱源機についての運転制御情報とに基づいて上記試運転制御を実行させるようにする
ことを特徴とする温水暖房システムにおける試運転制御方法。
【請求項２】
請求項１記載の温水暖房システムにおける試運転制御方法であって、
各端末情報として、対応する暖房端末の定格熱量、その暖房端末に充填されるべき保有水量及びその暖房端末における圧力損失の各情報を少なくとも含むものとする、温水暖房システムにおける試運転制御方法。
【請求項３】
請求項２記載の温水暖房システムにおける試運転制御方法であって、
端末コントローラに対し端末情報の内容について変更設定する入力設定部を設け、この入力設定部により温水暖房システムの施工後にその施工条件に応じて所定の端末情報を変更設定するようにする、温水暖房システムにおける試運転制御方法。
【請求項４】
請求項１〜請求項３のいずれかに記載の温水暖房システムにおける試運転制御方法であって、
試運転制御の実行に先立ち、熱源機コントローラにおいて、各暖房端末の圧力損失情報の相互間での高低バランスに基づいて熱源機側から各暖房端末に供給され得る熱量の分配予測を行い、この分配予測された各暖房端末への供給熱量と、その各暖房端末の定格熱量情報とを互いに比較し、上記供給熱量が定格熱量情報に比して不適合である暖房端末があるとき報知手段によりその暖房端末を特定して不適合である旨の報知を行うようにする、温水暖房システムにおける試運転制御方法。
【請求項５】
請求項１〜請求項４のいずれかに記載の温水暖房システムにおける試運転制御方法であって、
試運転制御として、
循環配管及び暖房端末に対する水張りのために、端末情報に基づいて選択した１又は２以上の暖房端末への端末開閉弁を開作動制御して循環ポンプの作動により循環水を上記端末開閉弁及び循環配管を通して循環供給させるよう水張り制御し、これにより端末開閉弁が正常に開作動するか否かの開判定を端末情報と運転制御情報とに基づいて行い、続いて上記端末開閉弁を開いたまま残りの暖房端末について上記端末情報に基づいて次に選択された暖房端末を対象として上記水張り制御及び開判定を順に繰り返して、全暖房端末についての水張り制御及び開判定を完了させるようにする、温水暖房システムにおける試運転制御方法。
【請求項６】
請求項５記載の温水暖房システムにおける試運転制御方法であって、
水張り制御を開始してから端末開閉弁が正常に開作動したとすれば水張りが完了するであろう水張り所要時間の経過を待って開判定を行うようにし、その水張り所要時間値を各暖房端末の保有水量情報に基づきその保有水量が少ないほど短くなるよう変更設定するようにする、温水暖房システムにおける試運転制御方法。
【請求項７】
請求項５又は請求項６記載の温水暖房システムにおける試運転制御方法であって、
熱源機コントローラにおいて、各暖房端末の圧力損失の高低に基づいて水張り制御を実行する暖房端末の先後の順序を設定し、設定した順序に従って水張り制御を行う暖房端末を選択するようにする、温水暖房システムにおける試運転制御方法。
【請求項８】
請求項７記載の温水暖房システムにおける試運転制御方法であって、
水張り制御を実行する暖房端末の先後の順序を圧力損失が高い暖房端末から低い暖房端末へ順に設定するようにする、温水暖房システムにおける試運転制御方法。
【請求項９】
請求項８記載の温水暖房システムにおける試運転制御方法であって、
各暖房端末の圧力損失の内、高低の差がなく互いに同等のものがある場合には、その圧力損失が同等の２以上の暖房端末については水張り制御を同時に実行する、温水暖房システムにおける試運転制御方法。
【請求項１０】
請求項５又は請求項６記載の温水暖房システムにおける試運転制御方法であって、
水張り制御として、暖房回路に介装したタンク内に貯留した循環水を各暖房端末に循環供給するようにする一方、上記各暖房端末に対する水張りのために消費した循環水量を上記タンクに対し補水する補水制御を並行して行うようにし、
運転制御情報として上記タンクに対する補水量を検出し、
この検出した補水量と各端末情報の保有水量との比較に基づいて端末開閉弁の開判定を行うようにする、温水暖房システムにおける試運転制御方法。
【請求項１１】
請求項１０記載の温水暖房システムにおける試運転制御方法であって、
補水制御として、タンクに対し内部の循環水が所定の低水位まで低減する毎に補水を開始して所定の高水位に到達するまで行うようにし、
この補水制御を行う毎に上記タンクに対する補水回数としてカウントし、このカウントした補水回数に基づいて補水量の検出を行うようにする、温水暖房システムにおける試運転制御方法。
【請求項１２】
請求項１０又は請求項１１に記載の温水暖房システムにおける試運転制御方法であって、
水張り制御対象の暖房端末において、補水量が保有水量よりも所定値以上少ない場合には上記暖房端末への端末開閉弁の開作動に異常が生じていると判定してエラー報知を行うようにする、温水暖房システムにおける試運転制御方法。
【請求項１３】
請求項１２記載の温水暖房システムにおける試運転制御方法であって、
水張り制御を２以上の暖房端末について同時に実行した場合には、全暖房端末についての水張り制御及び開判定が完了した時点で、各暖房端末に対する水張り制御における全補水量と、各暖房端末における全保有水量との比較に基づいて上記２以上の暖房端末の端末開閉弁についての開判定を行うようにする、温水暖房システムにおける試運転制御方法。
【請求項１４】
請求項１〜請求項６のいずれかに記載の温水暖房システムにおける試運転制御方法であって、
試運転制御として、
全暖房端末及び循環配管に対する水張りを完了させた後、全暖房端末への端末開閉弁を開いた状態で加熱部を加熱作動させて加熱後の温水を全暖房端末に対し循環供給させるよう熱供給制御し、これにより各暖房端末の暖房動作が正常に行われるか否かの動作判定を端末情報と運転制御情報とに基づいて行うようにする、温水暖房システムにおける試運転制御方法。
【請求項１５】
請求項１４記載の温水暖房システムにおける試運転制御方法であって、
運転制御情報として、各暖房端末に循環供給される加熱後の温水によりその各暖房端末に供給される供給熱量についての情報を用いるようにする、温水暖房システムにおける試運転制御方法。
【請求項１６】
請求項１５記載の温水暖房システムにおける試運転制御方法であって、
供給熱量を、加熱部による加熱量と、各暖房端末に対する分配比とに基づいて演算により求めるようにする、温水暖房システムにおける試運転制御方法。
【請求項１７】
請求項１６記載の温水暖房システムにおける試運転制御方法であって、
分配比を各端末情報の内の圧力損失の高低に基づいて設定するようにする、温水暖房システムにおける試運転制御方法。
【請求項１８】
請求項１５〜請求項１７のいずれかに記載の温水暖房システムにおける試運転制御方法であって、
供給熱量についての情報を、各暖房端末の動作判定の判定条件を設定するための情報として熱源機コントローラから各端末コントローラに対し出力するようにする、温水暖房システムにおける試運転制御方法。
【請求項１９】
請求項１８記載の温水暖房システムにおける試運転制御方法であって、
各端末コントローラにおいて、端末情報としての定格熱量と、出力される供給熱量とに基づいて各暖房端末における暖房温度の予想上昇度合を演算推定し、この推定結果に基づいて判定条件を変更設定するようにする、温水暖房システムにおける試運転制御方法。
【請求項２０】
請求項１９記載の温水暖房システムにおける試運転制御方法であって、
変更設定された判定条件に基づき動作判定が終了する毎に、その動作判定が終了した暖房端末の端末開閉弁を閉作動制御する一方、動作判定が未終了の暖房端末を対象として定格熱量と供給熱量とに基づく判定条件の変更設定を繰り返すようにする、温水暖房システムにおける試運転制御方法。
【発明の詳細な説明】
【０００１】
【発明の属する技術分野】
本発明は、温水暖房システムを施行した後、使用に供される前に実施される試運転時の試運転制御方法に関する。
【０００２】
【従来の技術】
従来より、温水暖房システムとしては、燃焼バーナにより加熱される熱交換器やタンク内の水を循環させる循環ポンプが配設された暖房回路を備えた熱源機と、この熱源機外の各室に設置される複数の暖房端末（例えば浴室乾燥機、ファンコンベクタ、温水エアコンディショナあるいは床暖房器等）とからなるものが一般に知られている。このものでは、上記複数の暖房端末が上記暖房回路に対し熱動弁により構成された端末開閉弁及び循環配管を介して並列に接続され、所望の端末開閉弁を開作動させることで上記熱交換器により加熱された温水が対応する暖房端末に対し個別に循環供給されるようになっている。
【０００３】
上記の温水暖房システムについては、熱源機及び各暖房端末をそれぞれ設置し、その熱源機と各暖房端末との間に循環配管等の配管工事を行った後、使用（通常の暖房運転）に供される前に、暖房運転が正常に行われるか否かの試運転が一般に行われている。すなわち、上記各端末開閉弁が正常に開閉作動するか否かのチェック（端末開閉弁の開閉チェック）、この開閉チェックと共に各循環配管及び各暖房端末に対する水張りが正常に完了したか否かのチェック（水張りチェック）、及び、各暖房端末に対し所定温度の温水が供給されて暖房端末による暖房が正常に行われるか否かのチェック（暖房端末の動作チェック）等が試運転として行われている。
【０００４】
上記水張りチェック、端末開閉弁の開閉チェック及び暖房端末の動作チェック等の各チェックは、熱源機コントローラの接続端子に接続された番号順に、その接続端子に接続された複数の暖房端末の端末開閉弁を１台ずつ開いて上記各チェックを順に行い、その１台についての全チェックが終了することにより上記端末開閉弁を閉じた後、残りの暖房端末について１台毎に独立して上記と同様に全チェックを個別に繰り返すことにより全ての暖房端末に対する試運転を完了させるように行われている。つまり、上記チェックを行う暖房端末の順序は上記接続端子の番号順であって何らかの要素に基づく特定の順序ではなかった。なお、水張りを１台毎に独立して行う理由は、例えば全ての端末開閉弁を一斉に開操作して水張りしようとすると、圧損（圧力損失）の低い循環配管及び暖房端末にばかりに水が流れ圧損の高い循環配管及び暖房端末には水が回らず、端末開閉弁の開閉チェックが行い得ないばかりでなく水張りチェックすら適正には行い得ないことになるからである。
【０００５】
【発明が解決しようとする課題】
ところが、上記従来の温水暖房システムにおける試運転においては、１台毎に独立して所定の各チェックを順に行うことに起因して全ての暖房端末について試運転を完了させるために極めて長時間を要することになる一方、各チェックにおいて正常か否かの判定を行うに際し作業者自らが熱源機側と各暖房端末側との間を確認のために行ったり来たりする必要があり煩雑な作業となるという不都合がある。
【０００６】
すなわち、上記端末開閉弁として通常用いられる熱動弁はコントローラからの開作動指令を受けてヒータ加熱が行われ、このヒータ加熱を受けて開変換作動する構造となっているため、上記開作動指令の出力を受けてから実際に開変換作動するまでに比較的長い時間の経過を要する。加えて、開状態から閉変換作動するまでも同様であるため、１つの熱動弁の開・閉についての開閉チェックにはかなりの時間を要することになる。このため、暖房端末毎にその熱動弁の開閉チェックを個別に繰り返すのに極めて長時間を要することになる。
【０００７】
また、暖房端末の１台毎に独立して例えば水張りチェック、熱動弁の開閉チェック及び暖房端末の動作チェックの３種類のチェックを順に行うため、１つの熱動弁の開操作の後に循環ポンプを作動させて循環水を供給させて水張りチェックを行うにしても圧損が高いため循環流量が少なくなり、次の動作チェックのために燃焼バーナを燃焼作動させても循環流量が少ないため温度上昇度合が高くて熱交換器側では直ぐに所定温度に到達する結果、自動的に燃焼作動が停止されてしまうことになる。つまり、燃焼作動のＯＮ・ＯＦＦが頻繁となり、効率的な加熱動作を行い得ないことになる。
【０００８】
加えて、１台の暖房端末について上記３種類のチェックが終了した後に次の１台の暖房端末に移行すると、前の１台の暖房端末への水張りによりタンク内の循環水が消費された分だけタンクに水が新たに補水されるため、暖房回路内の温水が冷却されて温度むらが生じ易くなる。このため、動作チェックにおいてチェック対象の暖房端末に循環供給される温水の温度状態が不安定となり、正確な動作チェックを行うには温度状態が安定化するまで時間の経過を待つ必要がある。
【０００９】
さらに、各暖房端末の動作チェックにおいては、熱源機側から循環供給される温水の温度条件等が均一ではなく、しかもその温度条件等が不明であるため、最も条件の悪いケースを前提として動作チェックを行うようにしているため、動作チェックを終了させるまでの時間にかなり長時間を要する結果となっている。
【００１０】
本発明は、このような事情に鑑みてなされたものであり、その目的とするところは、温水暖房システムにおける試運転においてその試運転に要する時間の短縮化及び試運転の自動化を図り得る試運転制御方法を提供することにある。
【００１１】
【課題を解決するための手段】
上記目的を達成するために、本発明は、少なくとも加熱部及び循環ポンプが配設された暖房回路を有する熱源機と、この熱源機外に設置されて個別の端末開閉弁及び循環配管を介して上記暖房回路と接続された少なくとも２以上の暖房端末とを備え、上記加熱部により昇温された温水が上記循環ポンプの作動により上記各暖房端末に対し上記端末開閉弁及び循環配管を通して循環供給されるように構成された温水暖房システムについて、通常運転を行う前に実行される温水暖房システムにおける試運転制御方法を対象として以下の特定事項を備えるものである。すなわち、上記熱源機の運転制御を実行する熱源機コントローラと、各暖房端末に設置された各端末コントローラとを互いに通信可能に接続し、上記熱源機コントローラには予め定められた試運転制御を実行させるための試運転制御部を備える一方、上記各端末コントローラには対応する暖房端末に関する端末情報を予め記憶させておく。そして、上記試運転制御の実行に先立ち、上記熱源機コントローラに対し上記全端末コントローラから各暖房端末についての端末情報を出力させ、この出力された各端末情報と、上記熱源機コントローラ側の熱源機についての運転制御情報とに基づいて上記試運転制御を実行させるようにすること特定事項とするものである（請求項１）。
【００１２】
ここで、上記の「加熱部」としては、燃焼バーナとこの燃焼バーナの燃焼熱により加熱される熱交換器との組み合わせ、あるいは、電気ヒータ等を用いるものである。
本発明によれば、各端末コントローラから各暖房端末についての端末情報が試運転制御に先立って試運転制御部に取得させることが可能になり、試運転制御部においてはその試運転制御を上記の取得した各端末情報と、熱源機についての運転制御情報とに基づいて実行することが可能になる。これにより、熱源機側及び各暖房端末側の双方の情報に基づいて試運転制御を自動的に行うことが可能になる上に、上記双方の的確な情報に基づいて試運転制御を行うため試運転に要する時間の短縮化が図られる。
【００１３】
上記発明における「端末情報」としては、対応する暖房端末の定格熱量、その暖房端末に充填されるべき保有水量及びその暖房端末における圧力損失の各情報を少なくとも含むものとすればよい（請求項２）。ここで、定格熱量とは、例えば単位時間当たりに放熱し得る熱量により表される暖房能力や、その暖房能力を発揮するために必要な供給温水の温度等のことであり、特に各暖房端末の動作判定において必要となる。保有水量とは、１つの暖房端末に充填する必要のある水量もしくはこの水量に加えてその暖房端末までの循環配管に充填する必要のある水量の合計水量のことであり、特に水張り制御による端末開閉弁の開判定において必要となる。また、圧力損失とは暖房回路側から各暖房端末に水を循環供給する際に受ける抵抗（圧損）のことであり、暖房端末自体による圧力損失の他に循環配管による配管抵抗がある。すなわち、上記循環配管の配管長、内径、曲がり等により配管抵抗が異なり、また、各暖房端末の設置場所が建物の例えば１階にあるか２階にあるか等の熱源機との相対上下差によっても配管抵抗が異なることになる。なお、上記の圧力損失としては、具体的な数値を端末情報としてもよいが、試運転制御の簡易化もしくは圧力損失の把握の容易性から圧力損失レベルとして予め定めた何段階かの等級を端末情報として用いるのが好ましい。
【００１４】
上記暖房端末自体の圧力損失は試験もしくは経験等により予め既知の固有値とすることが可能であり、循環配管の配管抵抗に起因する圧力損失も設計段階で個別に把握することが可能である。実際の施工条件により近付けるためには、温水暖房システムの施工後に予め記憶させた端末情報を変更するのが好ましい。この場合には、端末コントローラに対し端末情報の内容について変更設定する入力設定部を設け、この入力設定部により温水暖房システムの施工後にその施工条件に応じて所定の端末情報を変更設定するようにすればよい（請求項３）。これにより、個々の施工条件に応じて適切な端末情報の設定が可能になる。特に、循環配管の如何に起因する保有水量もしくは圧力損失の変更設定に有用となる。
【００１５】
上記請求項１〜請求項３のいずれかにおいては、試運転制御の実行前に端末情報を熱源機コントローラにおいて取得するようにしているため、その取得した端末情報に基づいて種々の判定を事前に行うようにしてもよい。例えば、試運転制御の実行に先立ち、熱源機コントローラにおいて、各暖房端末の圧力損失情報の相互間での高低バランスに基づいて熱源機側から各暖房端末に供給され得る熱量の分配予測を行い、この分配予測された各暖房端末への供給熱量と、その各暖房端末の定格熱量情報とを互いに比較し、上記供給熱量が定格熱量情報に比して不適合である暖房端末があるとき報知手段によりその暖房端末を特定して不適合である旨の報知を行うようにしてもよい（請求項４）。この場合には、圧力損失情報の高低に応じて熱源機の暖房回路から任意の複数の暖房端末に対し同時に循環供給した場合に分配される個別流量を予測することができ、これにより、熱源機の加熱部から供給される熱量もその個別流量に対応して予測し得ることになる。従って、この供給熱量が各暖房端末の定格熱量と比較してあまりに小さい場合には実際の通常運転時に暖房運転に支障が生じるおそれがある。このため、上記供給熱量の予測値が個別の暖房端末の定格熱量に対し不適合である場合には、上記報知手段による報知を行うことにより作業者に注意を喚起することが可能になる上に、その不適合な暖房端末の循環配管の修正等の圧力損失に係る部位の修正作業を行わすことが可能になる。
【００１６】
以上の請求項１〜４のいずれかにおける試運転制御としては次のように端末情報と運転制御情報とに基づいて行うようにすればよい。すなわち、循環配管及び暖房端末に対する水張りのために、端末情報に基づいて選択した１又は２以上の暖房端末への端末開閉弁を開作動制御して循環ポンプの作動により循環水を上記端末開閉弁及び循環配管を通して循環供給させるよう水張り制御し、これにより端末開閉弁が正常に開作動するか否かの開判定を端末情報と運転制御情報とに基づいて行い、続いて上記端末開閉弁を開いたまま残りの暖房端末について上記端末情報に基づいて次に選択された暖房端末を対象として上記水張り制御及び開判定を順に繰り返して、全暖房端末についての水張り制御及び開判定を完了させるようにする（請求項５）。このようにすることにより、水張り制御による水張りと端末開閉弁の開判定とを全暖房端末について順に連続して行うことが可能になり、このため、従来の試運転の如く暖房端末毎にその端末開閉弁の開及び閉の両作動制御を行うなう場合と比べ、閉作動制御を行う必要やその閉作動制御により各端末開閉弁が閉状態になるまで待機する必要が共になく、その分、試運転に要する時間の短縮化が図られる。
【００１７】
上記請求項５による試運転制御において水張り制御による開判定の実行タイミングとして、水張り制御を開始してから端末開閉弁が正常に開作動したとすれば水張りが完了するであろう水張り所要時間の経過を待って開判定を行うようにし、その水張り所要時間値を各暖房端末の保有水量情報に基づきその保有水量が少ないほど短くなるよう変更設定するようにしてもよい（請求項６）。この場合には、予め取得した各暖房端末の保有水量情報に基づいて各暖房端末の端末開閉弁の開判定実行タイミングが個別に変更されて、その開判定実行タイミングが端末情報に基づいて最適化される。つまり、保有水量情報の保有水量の大小に基づいて開判定実行タイミングを規定する水張り所要時間が変更されることになる。このため、全暖房端末の端末開閉弁の開判定に要する時間を、上記開判定実行タイミングが予め安全側（長時間側）に一律に設定されている場合と比べ、大幅に短縮し得ることになる。
【００１８】
上記請求項５又は請求項６による試運転制御において水張り制御を実行する暖房端末の選択を端末情報に基づいて行う手法としては以下のようにすればよい。すなわち、熱源機コントローラにおいて、各暖房端末の圧力損失の高低に基づいて水張り制御を実行する暖房端末の先後の順序を設定し、設定した順序に従って水張り制御を行う暖房端末を選択するようにする（請求項７）。この場合に、より好ましくは水張り制御を実行する暖房端末の先後の順序を圧力損失が高い暖房端末から低い暖房端末へ順に設定するようにすればよい（請求項８）。この際に、各暖房端末の圧力損失の内、高低の差がなく互いに同等のものがある場合には、その圧力損失が同等の２以上の暖房端末については水張り制御を同時に実行するようにすればよい（請求項９）。
【００１９】
請求項７の場合には複数の暖房端末に対する水張り制御が圧力損失の高低に基づいて順番に行われて各端末開閉弁の開判定が行われ、請求項８の場合には複数の暖房端末に対する水張り制御が圧力損失の高いものから順番に行われて各端末開閉弁の開判定が行われ、請求項９の場合には圧力損失が同等であればその同等の複数の暖房端末に対し同時に水張り制御が行われることになる。以上の場合には、全暖房端末がその圧力損失の高低順に水張り制御が行われるため、実際の循環水の流通の難易の順に水張りが行われて確実に水張りが行われる上に、圧力損失が同等の２以上の暖房端末に対して同時に水張り制御を行うことにより水張りの確実化を図りつつ水張りに要する時間の大幅な短縮化が図られる。
【００２０】
また、上記請求項５又は請求項６による試運転制御における水張り制御として、暖房回路に介装したタンク内に貯留した循環水を各暖房端末に循環供給するようにする一方、上記各暖房端末に対する水張りのために消費した循環水量を上記タンクに対し補水する補水制御を並行して行うようにし、運転制御情報として上記タンクに対する補水量を検出し、この検出した補水量と各端末情報の保有水量との比較に基づいて端末開閉弁の開判定を行うようにしてもよい（請求項１０）。水張り開始に伴い暖房回路内の循環水が水張り対象の暖房端末及び循環配管に供給されると、タンク内の循環水が消費されて補水制御により補水されることになる。従って、検出された補水量と、上記保有水量とを比較すれば、水張り対象の暖房端末及び循環配管内の全体に循環水が充填されたか否か、つまり、端末開閉弁が正常に開作動したか否かの判定を確実に行い得ることになる。
【００２１】
上記請求項１０の場合の補水量の検出としては以下のようにしてもよい。すなわち、上記補水制御としてタンクに対し内部の循環水が所定の低水位まで低減する毎に補水を開始して所定の高水位に到達するまで行うようにし、この補水制御を行う毎に上記タンクに対する補水回数としてカウントし、このカウントした補水回数に基づいて補水量の検出を行うようにする（請求項１１）。この場合には、１回の補水制御により補水される補水量が一定かつ既知のものであるため、補水回数のカウントを行うだけでその水張り制御により補水された補水量の検出を簡易に行うことが可能になり、制御の簡易化が図られる。
【００２２】
以上の如き検出補水量と、保有水量との比較による端末開閉弁の開判定を行う場合には、補水量が保有水量よりも所定値以上少ない場合にはその水張り対象の暖房端末への端末開閉弁の開作動に異常が生じていると判定してエラー報知を行うようにすればよい（請求項１２）。これにより、暖房端末の端末開閉弁に異常のあることを暖房端末毎にその場で把握することが可能になる。なお、水張り制御を２以上の暖房端末について同時に実行した場合には、全暖房端末についての水張り制御及び開判定が完了した時点で、各暖房端末に対する水張り制御における全補水量と、各暖房端末における全保有水量との比較に基づいて上記２以上の暖房端末の端末開閉弁についての開判定を行うようにすればよい（請求項１３）。２以上の端末開閉弁を開作動させた場合にその内の一部の端末開閉弁に開作動異常が生じていてもその場では特定し得ないものの、全暖房端末に対する水張り制御が終了した時点において、それまでの全補水量と全保有水量との差がいずれの暖房端末の保有水量に相当するかを見ることで、上記２以上の端末開閉弁のいずれが開作動異常で依然として閉状態にあるかを判定することが可能になる。
【００２３】
以上は水張り制御による端末開閉弁の開判定についての解決手段たる発明であるが、これに加えて暖房端末の暖房動作が正常に行われるか否かの動作判定を行う場合には以下のようにすればよい。すなわち、上記の請求項１〜請求項６のいずれかの試運転制御において、全暖房端末及び循環配管に対する水張りを完了させた後、全暖房端末への端末開閉弁を開いた状態で加熱部を加熱作動させて加熱後の温水を全暖房端末に対し循環供給させるよう熱供給制御し、これにより各暖房端末の上記動作判定を端末情報と運転制御情報とに基づいて行うようにする（請求項１４）。この場合には、上記の熱供給制御により全暖房端末に対し加熱後の温水が循環供給されることになるため、加熱部の加熱作動を暖房端末毎にその都度行う従来の方法と比べ、加熱部の加熱作動の効率化が図られる上に、暖房端末に循環供給される温水の温度むらの発生を確実に防止して安定した温度条件で各暖房端末に対し暖房用熱源としての温水を供給することが可能になる。このため、暖房端末の動作判定も熱源機側からの安定状態の熱供給に基づいて確実にかつ迅速に行い得ることになる。
【００２４】
この請求項１４の試運転制御方法における動作判定で用いる運転制御情報の一例としては、各暖房端末に循環供給される加熱後の温水によりその各暖房端末に供給される供給熱量についての情報を用いるようにしてもよい（請求項１５）。この場合には、熱源機側から与えられる供給熱量と、この供給熱量を受けた各暖房端末での温度上昇度合との比較により暖房端末の動作判定が行い得ることになる。そして、この場合の供給熱量としては、加熱部による加熱量と、各暖房端末に対する分配比とに基づいて演算により求めるようにすればよい（請求項１６）。すなわち、加熱部での循環水に対する加熱量が各暖房端末への循環流量の比に応じて分配されることになるため、その加熱量に判定対象の暖房端末に対する分配比を乗じることによりその判定対象の暖房端末に対する個別の供給熱量が確実に得られることになる。なお、上記加熱量は加熱部での加熱作動量に熱効率を乗じれて得るようにすればよい。この際の分配比としては、各端末情報の内の圧力損失の高低に基づいて設定するようにすればよい（請求項１７）。つまり、各暖房端末に対する循環流量は圧力損失の高い暖房端末には少なく圧力損失の低い暖房端末には多くなるというように圧力損失の高低に応じて変化することになるため、循環流量の検出を個別に行うことなく端末情報の圧力損失に基づいて分配比を得ることが可能になる。
【００２５】
以上の請求項１５〜請求項１７のいずれかの試運転制御方法おいては、供給熱量についての情報を、各暖房端末の動作判定の判定条件を設定するための情報として熱源機コントローラから各端末コントローラに対し出力するようにしてもよい（請求項１８）。この場合には、供給熱量の情報が熱源機コントローラから各端末コントローラに出力されるため、各暖房端末に対する供給熱量についての正確な情報に基づき各端末コントローラにおいて動作判定を確実に行い得ることになる上に、その供給熱量の如何に応じて判定条件を変更設定することにより動作判定のために要する時間の短縮化が可能となる。
【００２６】
上記判定条件の変更設定の手法の一例としては、各端末コントローラにおいて、端末情報としての定格熱量と、出力される供給熱量とに基づいて各暖房端末における暖房温度の予想上昇度合を演算推定し、この推定結果に基づいて判定条件を変更設定するようにすればよい（請求項１９）。この場合、演算推定された予想上昇度合に基づいて動作判定を行い得るまでに要する昇温時間についての判定条件を変更し得ることになる。つまり、予想上昇度合が高ければ上記昇温時間も短くなり、動作判定も早期に行い得ることなる。このため、動作判定を確実に行いつつその動作判定に要する時間の短縮化を確実に図り得ることになる。
【００２７】
また、上記請求項１９の試運転制御方法においては、変更設定された判定条件に基づき動作判定が終了する毎に、その動作判定が終了した暖房端末の端末開閉弁を閉作動制御する一方、動作判定が未終了の暖房端末を対象として定格熱量と供給熱量とに基づく判定条件の変更設定を繰り返すようにしてもよい（請求項２０）。この場合には、まず全暖房端末を対象にして熱供給制御が行われ、これの継続中において、上記の変更設定された判定条件に基づきいずれかの暖房端末の動作判定が終了すれば、その暖房端末の端末開閉弁が閉作動制御され、その後は端末開閉弁が開状態とされている残りの暖房端末を対象として熱供給制御が行われることになる。その際、上記熱供給制御の対象とされる残りの暖房端末について定格熱量と供給熱量とに基づく上記と同様な判定条件の変更が再度行われ、この変更された判定条件に基づき動作判定が順次行われることになる。従って、端末開閉弁の閉作動制御により閉状態となる端末開閉弁の数が増える毎に残りの暖房端末に供給される熱量も増加し、これにより、動作判定もより早期に終了することになる。このため、全暖房端末についての動作判定に要する時間の短縮化を図ることが可能になる。
【００２８】
【発明の効果】
以上、説明したように、請求項１〜請求項４のいずれかの温水暖房システムにおける試運転制御方法によれば、各端末コントローラから各暖房端末についての端末情報が試運転制御に先立って試運転制御部に取得させることができ、試運転制御部においてはその試運転制御を上記の取得した各端末情報と、熱源機についての運転制御情報とに基づいて実行することができる。これにより、熱源機側及び各暖房端末側の双方の情報に基づいて試運転制御を自動的に行うことができる上に、上記双方の的確な情報に基づいて試運転制御を行うため試運転に要する時間の短縮化を図ることができるようになる。
【００２９】
中でも請求項２によれば、上記端末情報の内容を具体的に特定して試運転制御方法をより具体化することができ、請求項３によれば、個々の施工条件に応じて適切な端末情報の設定を行うことができるようになり、特に循環配管の如何に起因する保有水量もしくは圧力損失の変更設定に有用となる。請求項４によれば、圧力損失情報の高低に応じて熱源機の加熱部から供給される熱量を予測することができ、この供給熱量の予測値が個別の暖房端末の定格熱量に対し不適合である場合には報知手段による報知が行われるため作業者に注意を喚起することができる上に、その不適合な暖房端末の循環配管の修正等の圧力損失に係る部位の修正作業を通常運転に供される前に実施させることができるようになる。
【００３０】
また、請求項５〜請求項１３のいずれかの温水暖房システムにおける試運転制御方法によれば、上記請求項１〜請求項４による効果を前提として発揮しつつ、水張り制御による水張りと端末開閉弁の開判定とを全暖房端末について順に連続して行うことができる。このため、従来の試運転の如く暖房端末毎にその端末開閉弁の開及び閉の両作動制御を行うなう場合と比べ、閉作動制御及び閉状態になるまで待つ必要のない分、試運転に要する時間の短縮化を図ることができるようになる。
【００３１】
特に、請求項６によれば、予め取得した各暖房端末の保有水量情報の大小に基づいて各暖房端末の端末開閉弁の開判定実行タイミングを最適化することができ、全暖房端末の端末開閉弁の開判定に要する時間を、上記開判定実行タイミングが予め安全側に一律に設定されている場合と比べ、大幅に短縮することができるようになる。
【００３２】
請求項７によれば複数の暖房端末に対する水張り制御を圧力損失の高低に基づいて順番に行いつつ各端末開閉弁の開判定を行うことができ、請求項８によれば上記複数の暖房端末に対する水張り制御を圧力損失の高いものから順番に行いつつ各端末開閉弁の開判定を行うことができ、請求項９によれば、圧力損失が同等であればその同等の複数の暖房端末に対し同時に水張り制御を行うことができるようになる。以上、実際の循環水の流通の難易の順に水張りを行うことによりその水張りを確実に行うことができる上に、圧力損失が同等の２以上の暖房端末に対して同時に水張り制御を行うことにより水張りの確実化を図りつつ水張りに要する時間の大幅な短縮化を図ることができるようになる。
【００３３】
請求項１０によれば、検出された補水量と、上記保有水量とを比較することにより、水張り対象の暖房端末及び循環配管内の全体に循環水が充填されたか否か、つまり、端末開閉弁が正常に開作動したか否かの判定を確実に行うことができるようになる。この場合に、請求項１１によれば、補水回数のカウントを行うだけで水張り制御により補水された補水量の検出を簡易に行うことができ、制御の簡易化を図ることができるようになる。また、請求項１２によれば、暖房端末の端末開閉弁に異常のあることを暖房端末毎にその場で作業者に把握させることができるようになる。さらに、請求項１３によれば、水張り制御を２以上の暖房端末について同時に実行した場合であっても、全暖房端末に対する水張り制御が終了した時点において、上記２以上の暖房端末の端末開閉弁のいずれが開作動異常で依然として閉状態にあるかを確実に判定することができるようになる。
【００３４】
さらに、請求項１４〜請求項２０のいずれかの温水暖房システムにおける試運転制御方法によれば、上記請求項１〜請求項６による効果を前提として発揮しつつ、水張り制御による端末開閉弁の開判定に加えて暖房端末の暖房動作が正常に行われるか否かの動作判定を確実に行うことができることになる。すなわち、熱供給制御により全暖房端末に対し加熱後の温水が循環供給されることになるため、加熱部の加熱作動を暖房端末毎にその都度行う従来の方法と比べ、加熱部の加熱作動の効率化を図ることができる上に、暖房端末に循環供給される温水の温度むらの発生を確実に防止して安定した温度条件で各暖房端末に対し暖房用熱源としての温水を供給することができるようになる。このため、暖房端末の動作判定も熱源機側からの安定状態の熱供給に基づいて確実にかつ迅速に行うことができるようになる。
【００３５】
特に、請求項１５によれば、熱源機側から与えられる供給熱量と、この供給熱量を受けた各暖房端末での温度上昇度合との比較により暖房端末の動作判定を確実に行うことができるようになる。請求項１６によれば、加熱部での加熱量に判定対象の暖房端末に対する分配比を乗じることによりその判定対象の暖房端末に対する個別の供給熱量を確実に得ることができることになる。請求項１７によれば、循環流量の検出を個別に行うことなく端末情報の圧力損失に基づいて上記分配比を得ることができるようになる。
【００３６】
また、請求項１８によれば、上記請求項１５〜請求項１７による効果を得つつ、供給熱量の情報が熱源機コントローラから各端末コントローラに出力されるため、各暖房端末に対する供給熱量についての正確な情報に基づき各端末コントローラにおいて動作判定を確実に行うことができるようになる上に、その供給熱量の如何に応じて判定条件を変更設定することにより動作判定のために要する時間の短縮化を図ることができるようになる。
【００３７】
請求項１９によれば、上記請求項１８において、演算推定された予想上昇度合に基づいて動作判定を行い得るまでに要する昇温時間についての判定条件を変更することができ、動作判定を確実に行いつつその動作判定に要する時間の短縮化を確実に図ることができることになる。
【００３８】
加えて請求項２０によれば、上記請求項１９における熱供給制御の継続中において、動作判定が終了する毎にその動作判定の終了した暖房端末の端末開閉弁を順に閉作動制御し、以後は残りの暖房端末を対象とする熱供給制御と判定条件の再変更設定を繰り返すため、全暖房端末についての動作判定に要する時間のより一層の短縮化を図ることができるようになる。
【００３９】
【発明の実施の形態】
以下、本発明の実施形態を図面に基づいて説明する。
【００４０】
図１は、本発明の実施形態が適用される温水暖房システムの例を示す。同図において、２は熱源機、３ａ〜３ｄはその熱源機２から循環供給される温水により暖房運転が行われる２以上の暖房端末であり、熱源機２は熱源機コントローラ４を備え、上記各暖房端末３ａ〜３ｄはそれぞれ個別に端末コントローラ３２ａ〜３２ｄを備えている。
【００４１】
上記熱源機２は、加熱部を構成する燃焼缶体１１と、この燃焼缶体を通る暖房回路１２と、この暖房回路１２に介装され循環水を貯留するたタンク１３及びその循環水を循環させる循環ポンプ１４と、上記暖房回路１２から上記各暖房端末３ａ〜３ｄに対し温水の循環供給を個別にＯＮ・ＯＦＦするための端末開閉弁としての熱動弁１５１〜１５６を有する開閉切換ユニット（６Ｐヘッダ）１５と、上記各暖房端末３ａ〜３ｄから暖房回路１２に戻される循環水を受ける戻り接続口１６とを備えたものである。上記燃焼缶体１１にはその上部に配設された熱交換器２１と、この熱交換器２１の下方に配設されて加熱部での加熱作動を受け持つ燃焼バーナ２２とが配設されている。
【００４２】
上記暖房回路１２は、上記熱交換器２１により加熱された循環水（高温水）を上記開閉切換ユニット１５の各熱動弁１５１〜１５６に供給する暖房往き管１２ａと、各暖房端末３ａ〜３ｄに供給された循環水が各暖房端末３ａ〜３ｄで放熱された後の循環水（低温水）を上記戻り接続口１６を通して受け上記タンク１３に戻した後に循環ポンプ１４を通して上記熱交換器２１に戻す暖房戻り管１２ｂとからなる。上記暖房往き管１２ａには熱交換器２１にて加熱されて各暖房端末３ａ〜３ｄに供給される高温水の温度を検出する往き温度センサ２５が配設され、上記暖房戻り管１２ｂには上記熱交換器２１に戻される低温水の温度を検出する戻り温度センサ２６が配設されている。
【００４３】
上記タンク１３には例えば水道管もしくは給湯器の注湯管等の外部の給水源と接続されて補水を行う補水管２３が接続され、この補水管２３には補水管２３を通して補水を行うための補水電磁弁２４が介装されている。また、上記タンク１３には高水位電極１３１と、低水位電極１３２とが配設されており、これら両電極１３１，１３２による水位検出情報に基づいて上記補水電磁弁２４の開閉作動が上記熱源機コントローラ４により制御され、これにより、上記タンク１３を介した暖房回路１２に対する補水制御が行われるようになっている。
【００４４】
上記開閉切換ユニット１５の各熱動弁１５１〜１５６に対し上記各暖房端末３ａ〜３ｄに向かう循環配管３１ａ〜３１ｄの上流端が個別に接続され、これにより、上記暖房往き管１２ａからの循環水が各暖房端末３ａ〜３ｄに対し並列に分流されるようになっている。そして、上記各循環配管３１ａ〜３１ｄは各暖房端末３ａ〜３ｄに循環水を供給した後、下流側が合流され下流端が熱源機２側の戻り接続口１６に連通接続されている。
【００４５】
上記暖房端末３ａ〜３ｄは、それぞれ内部に放熱チューブもしくは放熱パネル等を備え、熱源機２側から循環供給される高温水（例えば６０〜８０℃の高温水）を熱源としてその高温水により供給された熱を放熱することにより、浴室の乾燥や部屋の暖房等を行うようになっている。例えば、暖房端末３ａが浴室乾燥機、暖房端末３ｂがファンコンベクタ（ファンヒータ）、暖房端末３ｃは床暖房装置、暖房端末３ｄは他の部屋に配設された床暖房装置である。なお、図１の例では４つの熱動弁１５１〜１５４に対し上記の４つの暖房端末３ａ〜３ｄが個別に接続され、他の２つの熱動弁１５５，１５６は未接続状態とされた場合を示している。
【００４６】
上記の各暖房端末３ａ〜３ｄに個別に配設された端末コントローラ３２ａ〜３２ｄは熱源機コントローラ４との間で接続ライン３３ａ〜３３ｄを介して双方向通信が可能になっている。これにより、試運転に際しては上記各端末コントローラ３２ａ〜３２ｄから熱源機コントローラ４に対し各暖房端末３ａ〜３ｄの端末情報を出力したり、逆に熱源機コントローラ４から各端末コントローラ３２ａ〜３２ｄに対し熱源機２側の運転制御情報を出力したりし得るようになっている。なお、上記の熱源機コントローラ４と、各端末コントローラ３２ａ〜３２ｄとの間の双方向通信は有線のみならず無線により行うようにしてもよい。
【００４７】
上記各端末コントローラ３２ａ〜３２ｄは、図２に示すように入力設定部３４と、通信制御部３５と、端末情報記憶部３６と、試運転判定部３７とを備えたものである。上記端末情報記憶部３６には端末情報が予め記憶設定されており、この記憶設定された端末情報は上記入力設定部３４により試運転時において変更設定し得るようになっている。また、上記試運転判定部３７は各暖房端末３ａ〜３ｄの暖房運転が正常に行われるか否かの後述の動作チェック（動作判定）を行うようになっている。
【００４８】
上記端末情報とは機種、定格熱量、保有水量及び圧力損失についての各情報のことである。上記機種情報は浴室暖房機、ファンコンベクタもしくは床暖房装置等の暖房端末の種類を示す記号等であり、上記定格熱量情報は暖房能力情報Ｘｉ（kcal/h）及び要求温度情報Ｙｉ（℃）により構成され、保有水量情報Ｚｉ（cm3）は各暖房端末３ａ〜３ｄ及び対応する循環配管３１ａ〜３１ｄの内部容積を示すものであり、圧力損失情報は各暖房端末３ａ〜３ｄ及び対応する循環配管３１ａ〜３１ｄに循環水を供給した場合に生じる圧力損失の程度を表す圧損レベル表示Ａ〜Ｅにより構成されている。なお、上記のＸｉ，Ｙｉ，Ｚｉの添字ｉ（ｉ＝１〜４）は上記の４つの暖房端末３ａ〜３ｄのいずれかを特定するものである。
【００４９】
上記圧力損失情報としての圧損レベルＡ〜Ｅは、具体的な圧力損失値について予め範囲分けし、高い側からレベルＡ、レベルＢ、レベルＣ、レベルＤ、レベルＥ（Ａ＞Ｂ＞Ｃ＞Ｄ＞Ｅ）の順に等級分けされたものであり、具体的な圧力損失値に基づき予め圧損レベルが設定されている。上記保有水量情報Ｚｉ及び圧力損失情報Ａ〜Ｅは、循環配管３１ａ〜３１ｄの配管長等により変化するものであるため、各暖房端末３ａ〜３ｄについて既知のもしくは試験により得た保有水量及び圧損レベルを予め記憶設定させておき、上記循環配管３１ａ〜３１ｄの配管工事の終了後にその施工条件に応じて上記入力設定部３４により変更設定するようにすればよい。
【００５０】
以上により、各端末コントローラ３２ａ〜３２ｄの端末情報記憶部３６には、機種情報、暖房能力情報、要求温度情報、保有水量情報、圧損レベルの各情報が端末情報として、例えば、
端末コントローラ３２ａの端末情報：［BathD，Ｘ１，Ｙ１，Ｚ１，Ｄ］
端末コントローラ３２ｂの端末情報：［FanCn，Ｘ２，Ｙ２，Ｚ２，Ｃ］
端末コントローラ３２ｃの端末情報：［FloorH，Ｘ３，Ｙ３，Ｚ３，Ｃ］
端末コントローラ３２ｄの端末情報：［FloorH，Ｘ４，Ｙ４，Ｚ４，Ａ］
のように記憶設定されている。
【００５１】
上記熱源機コントローラ４は、通常運転のための図示省略の暖房運転制御系に加えて、試運転のための試運転制御に係る試運転制御系を備えている。この試運転制御系は、通常運転及び試運転の双方で機能する通信制御部４２と、試運転のために循環ポンプ１４、燃焼バーナ２１、各熱動弁１５１〜１５６及び補水電磁弁２４等の各作動制御を行う試運転制御部４３と、後述の水張りチェックを実行する暖房端末３ａ〜３ｄの先後の順序を設定する端末順序設定部４４と、後述の動作チェックを行う際の循環流量の分配比を演算により設定する分配比設定部４５と、各暖房端末３ａ〜３ｄに対する供給熱量を演算により求める供給熱量演算部４６と、タンク１３に対する補水制御により補水される補水量を検出する補水量検出部４７とを備えている。なお、図２中４１は報知手段を構成するリモコン（リモートコントローラ）であり、このリモコンは通常運転時や試運転時においてユーザもしくは試運転作業者により入力操作のために利用される一方、その表示部４１ａにより所定の状態表示を行ったり警報ブザーを吹鳴したりするために用いられる。
【００５２】
端末順序設定部４４での順序設定は、上記通信制御部３５，４２を介して各端末コントローラ３２ａ〜３２ｄから出力させた端末情報の内の圧損レベル情報に基づき行うようになっている。すなわち、圧損レベルが高いものほど先になるように順序（順番）を設定し、後述の水張り制御対象の暖房端末（つまり熱動弁）を上記順序に従って選択させる。この際、圧損レベルが同等のものがある場合には、その圧損レベルが同等の２以上の暖房端末については先後のない同順とし、上記水張り制御対象として同時にその２以上の暖房端末を対象とするようになっている。上述の端末情報の例では、レベルＡの暖房端末３ｄ（熱動弁１５４）が一番目となり、以下、レベルＣの暖房端末３ｂ及び３ｃ（熱動弁１５２及び１５３）、レベルＤの暖房端末３ａ（熱動弁１５１）の順序となる。
【００５３】
分配比設定部４５での分配比設定も、上記と同様に出力させた端末情報の内の圧損レベル情報に基づき行うようになっている。後述の端末チェックにおいて暖房往き管１２ａを通して循環供給される全循環流量を１００％とし、試運転対象の全暖房端末３ａ〜３ｄ側の各圧損レベルに反比例するよう各暖房端末３ａ〜３ｄ側への個別循環流量を配分して分配比を設定する。すなわち、上述の端末情報の例では、圧損レベルが最も高いレベルＡが１つ（暖房端末３ｄ）、レベルＢがなくてレベルＣが２つ（暖房端末３ｂ及び３ｃ）、圧損レベルが最も低いレベルＤが１つ（暖房端末３ａ）であるため、レベルＡの暖房端末３ｄ側には例えば５％、レベルＣの暖房端末３ｂ及び３ｃ側にはそれぞれ２５％、レベルＤの暖房端末３ａ側には４５％というように、各暖房端末３ａ〜３ｄ側に流れるであろう個別循環流量の分配比を設定する。なお、後述の如く最も早く動作判定が終了して例えば暖房端末３ａの熱動弁１５１が閉じられた後は、試運転対象を３つの暖房端末３ｂ〜３ｄとして上記分配比を再設定する。すなわち、この場合には、レベルＡが１つ（暖房端末３ｄ）、レベルＣが２つ（暖房端末３ｂ及び３ｃ）となるため、レベルＡの暖房端末３ｄには１０％、レベルＣの暖房端末３ｂ及び３ｃ側にはそれぞれ４５％というように個別循環流量の分配比を再設定する。
【００５４】
供給熱量演算部４６では、後述の端末チェックにおいて熱源機２側から各暖房端末３ａ〜３ｄに対し上記の個別循環流量により供給される高温水により供給される熱量を演算により求めるようになっている。すなわち、燃焼バーナ２２での実際の燃焼量に燃焼効率を乗じて全循環流量での全供給熱量（熱源機での加熱量）を求め、この全供給熱量に上記の分配比を乗じて各暖房端末３ａ〜３ｄに対する個別の供給熱量を求める。なお、上記の如く分配比が再設定された場合には、その再設定された分配比に基づいて個別の供給熱量を再度演算することになる。
【００５５】
補水量検出部４７では、後述の補水制御が１回行われる毎に補水回数をカウントし、この補水回数にタンク１３の低水位電極１３２から高水位電極１３１までの水位差に相当する水量を乗じることにより補水量を検出するようになっている。つまり、補水回数を検出しこの補水回数に基づいて演算することにより補水量の検出を行うようになっている。
【００５６】
以上の構成を前提として、温水暖房システムが通常運転に供される前に実行される試運転制御について以下に説明する。
【００５７】
本試運転制御は、熱源機２の設置、各室への暖房端末３ａ〜３ｄの設置、及び、各循環配管３１ａ〜３１ｄの配管・接続の各種工事や配線工事等が完了した後に行われる。この状態では全熱動弁１５１〜１５６は全て閉状態とされている。また、各端末コントローラ３２ａ〜３２ｄの端末情報記憶部３６には上述の如く施行条件に応じて保有水量情報や圧損レベル情報について入力設定部３４を介して変更設定された状態となっている。
【００５８】
本試運転制御の概略をまず説明すると、まず、各端末コントローラ３２ａ〜３２ｄから端末情報を出力させて熱源機コントローラ４に取り込み、この端末情報に基づき事前判定を行う。すなわち、各暖房端末３ａ〜３ｄの圧力損失情報の相互間での高低バランスに基づいて熱源機２側から各暖房端末３ａ〜３ｄに供給され得る熱量の分配予測を行い、この分配予測された各暖房端末３ａ〜３ｄへの供給熱量と、その各暖房端末３ａ〜３ｄの定格熱量情報とを互いに比較し、上記供給熱量が定格熱量情報に比して不適合である暖房端末があるとき報知手段としてのリモコン４１の表示部４１ａにその暖房端末と不適合である旨との表示を行い作業者に注意を喚起させる。不適合な暖房端末がある場合には、循環配管３１ａ〜３１ｄであって上記不適合な暖房端末の循環配管や、その暖房端末の配置等について修正作業を加え、入力設定部３４により端末情報の変更設定を行い、再度、端末情報の熱源機コントローラ４への出力を行わせる。以上の事前判定をクリアした後に実質的な試運転制御を開始する。
【００５９】
すなわち、全暖房端末３ａ〜３ｄについて所定の順序に基づいて選択された１又は２以上の暖房端末毎に水張りチェック（水張り制御）を行い、これにより、水張りが正常に行われたか否かの水張り判定及び使用中の各熱動弁１５１〜１５４が正常に開作動するか否かの開判定が行われる。この後に、全ての熱動弁１５１〜１５４を開状態のままにして燃焼バーナ２２を作動させて高温の循環水を全暖房端末３ａ〜３ｄに循環供給させて端末チェック（熱供給制御）を行い、これにより、各暖房端末３ａ〜３ｄで暖房運転が正常に行われるか否かの動作判定が行われる。
【００６０】
以下、上記水張りチェックについて図３を参照しつつ詳細に説明する。まず、各端末コントローラ３２ａ〜３２ｄから端末情報を出力させて熱源機コントローラ４に取り込む（ステップＳＡ１）。この端末情報に基づいて上記の事前判定をクリアすることの確認や、上記端末順序設定部４４での順序設定及び分配比設定部４５での分配比設定等を行う。次に、循環ポンプ１４の作動と、上記分配比設定部４４で設定された一番目、すなわち、圧力損失が最も高い圧損レベルＡの暖房端末（上記例示の場合では暖房端末３ｄ）の熱動弁１５４の開作動とを行い、暖房端末３ｄ及びその循環配管３１ｄに対する水張りを行う（ステップＳＡ２及びＡ３）。この際、補水制御サブルーチンの実行を開始させ、以後、この水張りチェックの各処理と並行させて継続させる（ＳＵＢ３）。
【００６１】
先に上記補水制御サブルーチン（ＳＵＢ３）の内容を図４に基づいて説明すると、まず低水位電極１３２からの出力信号に基づいてタンク１３内の循環水の水位が所定の低水位Ｌｏより低下したことを検知した場合には（ステップＳＢ１でＹＥＳ）、補水電磁弁２４を開作動してタンク１３内に補水を開始する（ステップＳＢ２）。次に高水位電極１３１からの出力信号に基づいてタンク１３内の水位が所定の高水位Ｈｉに到達したことを検知した場合には（ステップＳＢ３でＹＥＳ）、上記補水電磁弁２４を閉作動して補水を停止する（ステップＳＢ４）。そして、補水量検出部４７での補水回数Ｎ（初期設定値＝０）に「１」を加える（ステップＳＢ６）。以上のステップＳＢ１〜ＳＢ５を水張りチェックが終了するまで繰り返し（ステップＳＢ６でＮＯ）、上記水張りチェックの終了と共に補水制御サブルーチンも終了させる（ステップＳＢ６でＹＥＳ）。
【００６２】
再び水張りチェックの説明を続けると、上記の熱動弁１５４の開作動制御（ステップＳＡ３）により、その熱動弁１５４が正常に開作動したとすれば、暖房往き管１２ａからの循環水が熱動弁１５４及び循環配管３１ｄを通して暖房端末３ｄ側に供給されてそれらの内部に水張りが行われる。上記熱動弁１５４が正常に開作動したとすれば水張りが完了するであろう水張り所要時間ｔの間、継続され（ステップＳＡ４でＮＯ）、水張り所要時間ｔが経過すれば、この暖房端末３ｄの保有水量情報Ｚ４よりも上記水張り所要時間ｔ内に補水されて補水量検出部４７により検出された補水量が多いか否かで開判定を行う（ステップＳＡ４でＹＥＳ、ＳＡ５）。保有水量情報Ｚ４よりも上記補水量が少なければ熱動弁１５４の開作動に異常があり水張りが正常には行われていない旨の水張り異常表示をリモコン４１の表示部４１ａに表示する一方（ステップＳＡ５でＮＯ、ＳＡ６）、保有水量情報Ｚ４よりも上記補水量が多ければ熱動弁１５４の開作動が正常に行われ水張りが正常に行われたものとして、その熱動弁１５４を開状態のまま次順の暖房端末を対象として上記と同様に水張りを行う（ステップＳＡ５でＹＥＳ）。
【００６３】
なお、上記の水張り所要時間ｔは保有水量情報に基づいて設定され、保有水量が多いほど長く保有水量が少ないほど短くなるように時間値が変更設定されるようになっている。
【００６４】
そして、次順の圧損レベルの暖房端末の熱動弁を開作動制御する（ステップＳＡ７）。つまり、レベルＡの次に低いレベルＢのものを対象とするが、上述の例示の場合にはレベルＢのものはないため、レベルＣの暖房端末３ｂ及び３ｃの２つの熱動弁１５２及び１５３を開作動制御する。そして、上記ステップＳＡ４と同様に上記両暖房端末３ｂ及び３ｃ側に水張りし得るものとして設定された水張り所要時間ｔの経過まで循環水を供給し（ステップＳＡ８）、その水張り所要時間ｔの経過後に上記ステップＳＡ５と同様に保有水量情報Ｚ２＋Ｚ３よりも上記時間ｔの間の補水量が多いか否かで開判定を行う（ステップＳＡ９）。そして、上記と同様に、保有水量情報Ｚ２＋Ｚ３よりも補水量が少なければ水張り異常表示を行う一方（ステップＳＡ９でＮＯ、ＳＡ１０）、保有水量情報Ｚ２＋Ｚ３よりも補水量が多ければ熱動弁１５２及び１５３の開作動が正常に行われ水張りが正常に行われたものとして熱動弁１５２及び１５３を開状態のまま次順の暖房端末を対象として水張りを繰り返す（ステップＳＡ９でＹＥＳ）。
【００６５】
以下、図示を省略するが、以上のステップＳＡ３〜ＳＡ６もしくはステップＳＡ７〜ＳＡ１０と同様の処理を最も圧損レベルの低い暖房端末の熱動弁についての開判定が終了するまで繰り返す。
【００６６】
そして、所定の待機時間の経過を待って（ステップＳＡ１１）、最終判定を行う。この最終判定は、全暖房端末３ａ〜３ｄの保有水量情報を合計した全保有水量（Ｚ１＋Ｚ２＋Ｚ３＋Ｚ４）よりもこれまでの各水張りで補水した全補水量が少なければ、その差分の水量（差分量）と各保有水量情報とを対比してその差分量に近似する保有水量を有する暖房端末の熱動弁に開作動異常が生じていると判断してその熱動弁についての開異常エラー表示をリモコン４１に表示する（ステップＳＡ１２でＮＯ、ステップＳＡ１３）。これにより、上記の同時に２つの熱動弁１５２及び１５３を開作動制御した場合であってエラーが生じた場合に、いずれの熱動弁１５２又は１５３の開作動が異常（故障）で閉状態のままであるかが把握できることになる。逆に、全保有水量よりも全補水量が多ければ全ての暖房端末３ａ〜３ｄに対する水張りが正常に行われたと判断して水張りは正常に行われた旨の水張り正常表示を上記リモコン４１に表示して水張りチェックを終了させる（ステップＳＡ１４）。
【００６７】
以上の水張りチェックにより、１台の暖房端末についての水張りを行った場合には熱動弁の開異常をその都度把握することができ、２台以上の暖房端末について同時に水張りを行った場合であって万一いずれかの熱動弁に開異常が発生している場合には全ての水張り制御が終了した段階でその２台以上の暖房端末のいずれの熱動弁が開異常であるかを把握することができる。
【００６８】
以上の水張りチェックが終了した後、引き続いて各熱動弁１５１〜１５４が開状態にされたまま端末チェックを行う。この端末チェックは図５に示すように、燃焼バーナ２２を燃焼作動させて熱交換器２１で加熱された後の高温水を循環水として各暖房端末３ａ〜３ｄに循環供給させる（ステップＳＣ１）。この際、燃焼バーナ２２は端末チェックのための熱供給を最大にするために最大能力で燃焼作動させる。そして、各暖房端末３ａ〜３ｄでの暖房運転が正常に行われているか否かの動作判定を開始する（ステップＳＣ２）。
【００６９】
この動作判定は、まず、分配比設定部４５での分配比設定及び供給熱量演算部４６での各暖房端末３ａ〜３ｄに対する個別供給熱量の演算を行い（ステップＳＣ３）、演算された個別供給熱量を運転制御情報として熱源機コントローラ４から各端末コントローラ３２ａ〜３２ｄに対し通信制御部４２，３５…を介して出力する（ステップＳＣ４）。
【００７０】
次に、各端末コントローラ３２ａ〜３２ｄにおいて試運転判定部３７での判定条件の決定を行う（ステップＳＣ５）。この判定条件の決定は、出力された個別供給熱量の情報と定格熱量情報とに基づきその個別供給熱量を受けた場合の暖房端末で予想される温度上昇度合（予想上昇度合）を決定する。この予想上昇度合とは、例えば１分間に何度上昇するか、あるいは、例えば５度上昇するのに何分要するかである。そして、上記予想上昇度合に基づいてその暖房端末の要求温度情報Ｙｉにまで昇温するのに要する時間、つまり、動作判定が行い得ることになるまでの判定時間を判定条件として割り出す。これは例えば定格熱量が３０００kcal／hの暖房端末に対し、個別供給熱量が３０００kcal／hの場合（図６の実線参照）、４０００kcal／hの場合（図６の一点鎖線参照）、６０００kcal／hの場合（図６の点線参照）では暖房端末での温度上昇度合が変化し、暖房運転動作が正常であるならば所定の温度まで上昇するのに要する時間（判定時間）も変化するためである。
【００７１】
そして、変更設定された判定時間の経過時点で要求温度まで実際に温度上昇したことをもって暖房運転動作が正常に行われていると判断して、その端末チェックＯＫの信号を熱源機コントローラ４に対し出力する（ステップＳＣ６）。この信号の出力を受けて熱源機コントローラ４の試運転制御部４３により上記端末チェックＯＫの暖房端末の熱動弁を閉作動制御する（ステップＳＣ７）。
【００７２】
以上のステップＳＣ３〜ステップＳＣ７までの各処理を全ての熱動弁１５１〜１５４の閉作動制御が終了するまで繰り返す（ステップＳＣ８でＮＯ、ステップＳＣ３〜ＳＣ７）。なお、２回目、３回目…の繰り返しの際には、ステップＳＣ３での分配比の再設定、及び、再設定された分配比に基づく個別供給熱量の再演算と、ステップＳＣ５での上記再演算された個別供給熱量に基づく判定条件の再設定とをそれぞれ行う。
【００７３】
以上の端末チェックの場合には、まずは全暖房端末を対象として高温水の循環供給を行うため燃焼バーナ２２の燃焼作動の効率化を図ることができる上に、個別供給熱量に基づく判定条件（判定時間）の変更設定をその都度行うことにより端末チェックに要する時間の短縮化を図ることができる。
【００７４】
＜他の実施形態＞
なお、本発明は上記実施形態に限定されるものではなく、その他種々の実施形態を包含するものである。すなわち、循環ポンプ１４としては吐出流量が一定のものを用いてもよいし、吐出流量が可変のもの（例えばＤＣポンプ）を用いてもよい。いずれの場合も全循環流量の検出のために流量センサを設けてもよいし、あるいは、暖房回路１２内の内圧を検出する圧力センサを設けこの検出圧力に基づいて循環流量を演算推定するようにしてもよい。
【００７５】
熱源機２側からの全供給熱量（加熱量）を、上記の全循環流量の検出結果と、往き温度センサ２５及び戻り温度センサ２６の両検出温度の差とを乗じることにより演算により求めるようにしてもよい。
【００７６】
分配比設定部４５での分配比設定は、圧損レベル情報に基づいて演算することにより行ってもよいし、予め上記圧損レベルの種々の組み合わせに基づいて作成した分配比テーブルを記憶設定しておき、この分配比テーブルから今回の分配比を設定するようにしてもよい。
【図面の簡単な説明】
【図１】本発明の実施形態が適用される温水暖房システムを示す模式図である。
【図２】試運転制御に係る部分の熱源機コントローラと端末コントローラとの内容を示すブロック図である。
【図３】水張りチェックの処理を示すフローチャートである。
【図４】補水制御の処理を示すフローチャートである。
【図５】端末チェックの処理を示すフローチャートである。
【図６】端末の温度上昇と時間との関係を示す図である。
【符号の説明】
２              熱源機
３ａ〜３ｄ      暖房端末
４              熱源機コントローラ
１１            燃焼缶体（加熱部）
１２            暖房回路
１３            タンク
１４            循環ポンプ
２２            燃焼バーナ（加熱部）
３１ａ〜３１ｄ  循環配管
３２ａ〜３２ｄ  端末コントローラ
３４            入力設定部
３６            端末情報記憶部
４３            試運転制御部
４４            端末順序設定部
４５            分配比設定部
４６            供給熱量演算部
４７            補水量検出部
１５１〜１５４  熱動弁（端末開閉弁）
【図１】
0003707672.tif 000002
【図２】
0003707672.tif 000003
【図３】
0003707672.tif 000004
【図４】
0003707672.tif 000005
【図５】
0003707672.tif 000006
【図６】
0003707672.tif 000007